(57)【特許請求の範囲】
【請求項１】
サーバ装置側で生成される大画面データを受信し、その一部の表示データを表示画面に表示させる表示端末装置であって、
オブジェクトを表示させる際に前記表示画面の中央位置に表示させるか否かを任意に設定する設定手段と、
前記大画面データの中に含まれるオブジェクトを当該表示端末装置で任意に選択された際は、前記オブジェクトが選択されたことを前記サーバ装置に通知する通知手段と、
前記通知に対して、前記サーバ装置において前記大画面データの中の前記オブジェクトが当該表示端末装置の表示画面に収まらないか否かが判別され、収まらないと判別された場合に前記サーバ装置から送信される前記大画面データの中での前記オブジェクトの表示位置を含む情報を受信する受信手段と、
前記受信した表示位置を含む情報に基づいて前記大画面データの中における前記オブジェクトの表示位置の表示データを前記表示画面に表示させる際、前記設定手段でオブジェクト中央位置表示の設定があれば、前記オブジェクトを前記表示画面の中央位置に表示させる表示制御手段と、
を具備したことを特徴とする表示端末装置。
【請求項２】
前記サーバ装置から当該表示端末装置における表示領域の送信要求を受信した際は、当該表示端末装置の表示画面に表示される前記大画面データ内での表示領域情報を、前記サーバ装置に送信することで、前記サーバ装置に対して、当該表示端末装置から受信した前記表示領域情報と前記オブジェクトの表示位置とに基づいて前記オブジェクトが当該表示端末装置の表示画面に収まらないか否かを判別させる、
ことを特徴とする請求項１記載の表示端末装置。
【請求項３】
前記受信手段は、前記サーバ装置において前記オブジェクトが収まらないと判別された際に、前記オブジェクトを含む大画面データの領域を縮小させた表示データを含む情報を受信する、
ことを特徴とする請求項１又は２に記載の表示端末装置。
【請求項４】
前記受信手段は、前記サーバ装置において前記オブジェクトが収まらないと判別された際に、前記オブジェクトを含む大画面データの領域を９０度回転させた表示データを含む情報を受信する、
ことを特徴とする請求項１〜３の何れか一項に記載の表示端末装置。
【請求項５】
サーバ装置側で生成される大画面データを受信し、その一部の表示データを表示画面に表示させる表示端末装置のコンピュータを制御するためのプログラムであって、
前記コンピュータを、
オブジェクトを表示させる際に前記表示画面の中央位置に表示させるか否かを任意に設定する設定手段、
前記大画面データの中に含まれるオブジェクトを当該表示端末装置で任意に選択された際は、前記オブジェクトが選択されたことを前記サーバ装置に通知する通知手段、
前記通知に対して、前記サーバ装置において前記大画面データの中の前記オブジェクトが当該表示端末装置の表示画面に収まらないか否かが判別され、収まらないと判別された場合に前記サーバ装置から送信される前記大画面データの中での前記オブジェクトの表示位置を含む情報を受信する受信手段、
前記受信した表示位置を含む情報に基づいて前記大画面データの中における前記オブジェクトの表示位置の表示データを前記表示画面に表示させる際、前記設定手段でオブジェクト中央位置表示の設定があれば、前記オブジェクトを前記表示画面の中央位置に表示させる表示制御手段、
として機能させるようにしたコンピュータ読み取り可能なプログラム。
【発明の詳細な説明】
【技術分野】
【０００１】
本発明は、サーバ装置側で生成される大画面データを受信し、その一部の表示データを表示画面に表示させる表示端末装置及びプログラムに関する。  
【背景技術】
【０００２】
従来、社内ＬＡＮなどのネットワークに接続された各端末装置（ＰＣ端末）では、その個々の端末装置が独立して文書作成や表作成などのアプリケーションを起動実行し、またこれに伴い生成された種々のファイルも当該端末装置において自身の記憶装置に保存、あるいは磁気ディスク，光ディスク，小型半導体メモリ等の外部記憶媒体に保存するか、ネットワーク上のサーバ装置が管理する記憶装置に転送して保存している。
【０００３】
このような従来のサーバ・クライアント・システムでは、各端末装置自身において生成ファイルが管理されるため、当該端末装置を紛失したり不正に持ち出したりして第３者の手に渡った場合、保存ファイルが読み出されて重要情報や機密情報が漏洩する恐れがある。
【０００４】
しかも、各端末装置が独立してアプリケーションを起動実行していたのでは、当該アプリケーションの更新，変更，追加の作業を個々の端末装置毎に行う必要があり、管理が面倒でコストも掛かってしまう。
【０００５】
このため近年のサーバ・クライアント・システムでは、各端末装置にて入出力・表示される全てのアプリケーションをサーバ装置上で起動実行させ、これに伴う全ての生成ファイルもサーバ装置側で管理するようにしたＳＢＣ（Server Based Computing）システムが導入されるようになっている（例えば、特許文献１、特許文献２参照）。
【０００６】
このようなサーバベース・コンピューティング・システムでは、サーバ装置側で実行されるアプリケーションソフトの描画データが端末装置（クライアント装置）に転送されて該クライアント装置にてこの描画データを表示するものである（例えば、特許文献３参照）。
【０００７】
そして、最近このサーバベース・コンピューティング・システムでも、携帯電話機のように表示画面の小さな携帯端末をクライアント装置として使用することが考えられている（例えば、特許文献４参照）。
【先行技術文献】
【特許文献】
【０００８】
【特許文献１】特開２００４−１７１０６３号公報
【特許文献２】特開２００３−１５８５３４号公報
【特許文献３】特表２００４−５０３８６２号公報
【特許文献４】特開２００４−３４８３８０号公報
【発明の概要】
【発明が解決しようとする課題】
【０００９】
前記従来のサーバベース・コンピューティング・システムにおいて、クライアント装置として表示画面の小さな携帯端末を使用した場合、サーバ装置から取得される表示画面データ（描画データ）は通常ＰＣ端末の画面サイズに対応させて生成されているために、当該携帯端末の表示画面にて表示される描画データの領域はその一部の領域となる。このため、描画データのユーザが見たい情報の領域が表示されていない場合、その都度ユーザは表示領域を変更する画面スクロールなどの操作を行う必要がある。
【００１０】
特に、描画データ上に存在するリストボックスやテストボックスを頻繁に操作対象とする場合など、そのオブジェクト領域を表示領域に合わせて上手く表示させるのは非常に面倒な問題がある。
【００１１】
本発明は、表示画面が小さい場合でも、表示領域の変更操作を頻繁に行う必要なく、ユーザが見たい情報の領域を容易に表示させるようにすることを目的とする。
【課題を解決するための手段】
【００１２】
請求項１の発明は、サーバ装置側で生成される大画面データを受信し、その一部の表示データを表示画面に表示させる表示端末装置であって、オブジェクトを表示させる際に前記表示画面の中央位置に表示させるか否かを任意に設定する設定手段と、前記大画面データの中に含まれるオブジェクトを当該表示端末装置で任意に選択された際は、前記オブジェクトが選択されたことを前記サーバ装置に通知する通知手段と、前記通知に対して、前記サーバ装置において前記大画面データの中の前記オブジェクトが当該表示端末装置の表示画面に収まらないか否かが判別され、収まらないと判別された場合に前記サーバ装置から送信される前記大画面データの中での前記オブジェクトの表示位置を含む情報を受信する受信手段と、前記受信した表示位置を含む情報に基づいて前記大画面データの中における前記オブジェクトの表示位置の表示データを前記表示画面に表示させる際、前記設定手段でオブジェクト中央位置表示の設定があれば、前記オブジェクトを前記表示画面の中央位置に表示させる表示制御手段と、を具備したことを特徴とする。  
【発明の効果】
【００１８】
本発明によれば、サーバ装置から受信した大画面データの一部を表示端末装置で表示させる際に、その大画面データに含まれるオブジェクトを当該表示端末装置の表示画面において適切に表示させることができる。  
【図面の簡単な説明】
【００１９】
【図１】本発明の実施形態に係るサーバ装置１０およびそのクライアント装置２０（２０Ｐ，２０Ｍ），…を備えたサーバベース・コンピューティング・システムの構成を示すブロック図。
【図２】前記サーバベース・コンピューティング・システムにおけるサーバ装置１０の回路構成を示すブロック図。
【図３】前記サーバ装置１０の記憶部１３に確保された表示管理領域１３Ａにおける管理データの内容を示す図。
【図４】前記サーバベース・コンピューティング・システムにおけるクライアント装置２０（２０Ｐ，２０Ｍ）の回路構成を示すブロック図。
【図５】前記サーバベース・コンピューティング・システムにおいて、クライアント装置２０の表示画面（２５）にてリストボックスＬＢを選択指示して開いた場合の表示制御動作（その１）を示す図。
【図６】前記サーバベース・コンピューティング・システムにおいて、クライアント装置２０の表示画面（２５）にてリストボックスＬＢを選択指示して開いた場合の表示制御動作（その２）を示す図。
【図７】前記サーバベース・コンピューティング・システムにおいて、クライアント装置２０の表示画面（２５）にてテキストボックスＴＢを選択指示した場合の表示制御動作を示す図。
【図８】前記サーバベース・コンピューティング・システムのサーバ装置１０によるサーバ制御処理を示すフローチャート。
【図９】前記サーバ装置１０のサーバ制御処理に伴うオブジェクト選択処理を示すフローチャート。
【図１０】前記サーバベース・コンピューティング・システムのクライアント装置２０によるクライアント制御処理を示すフローチャートである。
【発明を実施するための形態】
【００２０】
以下図面により本発明の実施の形態について説明する。
【００２１】
図１は、本発明の実施形態に係るサーバ装置１０およびそのクライアント装置２０（２０Ｐ，２０Ｍ），…を備えたサーバベース・コンピューティング・システムの構成を示すブロック図である。
【００２２】
このサーバベース・コンピューティング・システムは、ＬＡＮ（Local Area Network）やＷＡＮ（Wide Area Network）からなるネットワークＮ上に接続されたサーバ装置１０および複数のクライアント装置２０（２０Ｐ，２０Ｍ），…を備える。
【００２３】
サーバ装置１０は、例えばネットワークＮ上に有線接続されたパーソナルコンピュータである。クライアント装置２０として、２０ＰはネットワークＮ上のアクセスポイントＡＰを介して無線接続された携帯型パーソナルコンピュータ、２０Ｍは同アクセスポイントＡＰを介して無線接続された携帯電話である。
【００２４】
サーバ装置１０は、文書作成処理プログラム，表計算処理プログラム，住所録プログラム，メモ帳プログラム，プレゼン資料作成プログラム，メール処理プログラム，インターネット接続処理プログラム、Ｗｅｂ表示プログラムなど、種々のアプリケーション・プログラムを有し、当該サーバ装置１０に接続されたクライアント装置２０（２０Ｐ，２０Ｍ），…からの操作入力（入力イベント）信号に応じて起動しその処理を実行する。
【００２５】
このサーバ装置１０において、クライアント装置２０，…からの操作入力信号に応じたアプリケーション・プログラムの実行に伴い生成された表示出力用の描画データは、転送用の描画データに変換されると共に圧縮・暗号化され、アクセス元のクライアント装置２０，…へ送信（転送）される。
【００２６】
そして、クライアント装置２０（２０Ｐ，２０Ｍ），…では、前記サーバ装置１０から転送された描画データが解凍・復号化され、その表示部２５に表示される。
【００２７】
この際、サーバ装置１０では、クライアント装置２０からの操作入力信号が、描画データに存在する予め特定されたオブジェクト領域（リストボックスやテキストボックスなど）を操作対象として指示する入力信号であった場合に、当該描画データ上のオブジェクト領域をクライアント装置２０の表示画面（２５）に合わせて表示させるべく、その描画データ上の表示位置と領域を示す情報を生成してクライアント装置２０へ送信（通知）する機能を有する。
【００２８】
そして、クライアント装置２０は、前記サーバ装置１０から通知された描画データ上の表示位置と領域を示す情報に応じて当該描画データを切り出し、表示画面（２５）に表示する機能を有する。
【００２９】
図２は、前記サーバベース・コンピューティング・システムにおけるサーバ装置１０の回路構成を示すブロック図である。
【００３０】
サーバ装置１０は、コンピュータとしてのＣＰＵ１１を備え、このＣＰＵ１１には、バス１７を介してハードディスクやフラッシュＲＯＭからなるメモリ１２、ＲＡＭからなる記憶部１３、クライアント装置２０との送受信制御部１４、表示部１５、入力部１６、そして光ディスクや磁気ディスクなどの外部記憶媒体１８ａにデータを読み書きする記憶媒体読み書き部１８が接続される。
【００３１】
ＣＰＵ１１は、メモリ１２に予め記憶されている、あるいは外部記憶媒体１８ａからメモリ１２に読み込まれて記憶されている、あるいはネットワークＮ上のプログラムサーバからメモリ１２に読み込まれて記憶されているシステムプログラムや種々のアプリケーション・プログラムに従って記憶部１３を作業用メモリとし回路各部の動作を制御するもので、入力部１６からのキー入力信号や送受信制御部１４を介して受信されるクライアント装置２０（２０Ｐ，２０Ｍ），…からのユーザ操作（入力イベント）に応じた処理指令信号などに応じて前記種々のプログラムを起動・実行する。
【００３２】
このサーバ装置１０において、クライアント装置２０からの入力イベント信号に応じて起動・実行されるアプリケーション・プログラムに従い生成された種々のデータは、例えばそのユーザＩＤに対応付けられてメモリ１２に記憶される。また表示用の描画データは、メモリ１２内に各クライアント装置２０…に対応させて用意された仮想フレームバッファ（ＦＢ）１２ａ，１２ｂ，…に書き込まれる。そして、前回描画データと今回描画データとの画像変化部分（差分）を抽出した転送用描画データに変換され、送受信制御部１４からクライアント装置２０へ転送されて表示出力される。
【００３３】
また、サーバ装置１０の記憶装置１３には、表示管理領域１３Ａが確保される。
【００３４】
図３は、前記サーバ装置１０の記憶部１３に確保された表示管理領域１３Ａにおける管理データの内容を示す図である。
【００３５】
この表示管理領域１３Ａには、前記クライアント装置２０…毎にユーザ設定されて通知されている表示モードの管理データ（“１”または“０”）が当該クライアント装置２０…毎の識別子（Ａ，Ｂ，…）に対応付けられて記憶されるもので、管理データ“１”“０”は中央表示モードの設定“有り”“無し”を示す。
【００３６】
サーバ装置１０は、中央表示モードに設定されているクライアント装置２０から描画データ上の特定のオブジェクト領域（リストボックスやテキストボックスなど）を操作対象とする指示信号が受信された場合には、当該描画データ上のオブジェクト領域をクライアント装置２０の表示画面（２５）の中央に合わせて表示させるべく、その描画データ上の表示位置と領域を示す情報を生成してクライアント装置２０へ送信（通知）する。一方、中央表示モードに設定されてないクライアント装置２０から描画データ上の特定のオブジェクト領域（リストボックスやテキストボックスなど）を操作対象とする指示信号が受信された場合には、当該描画データ上のオブジェクト領域をクライアント装置２０の表示画面（２５）の左上に合わせて表示させるべく、その描画データ上の表示位置と領域を示す情報を生成してクライアント装置２０へ送信（通知）する。
【００３７】
図４は、前記サーバベース・コンピューティング・システムにおけるクライアント装置２０（２０Ｐ，２０Ｍ）の回路構成を示すブロック図である。
【００３８】
クライアント装置２０は、コンピュータとしてのＣＰＵ２１を備え、このＣＰＵ２１には、バス２７を介してフラッシュＲＯＭからなるメモリ２２、ＲＡＭからなる記憶部２３、サーバ装置１０との送受信制御部２４、表示コントローラ２５ａを介した表示部２５、入力部２６、そしてメモリカードなどの外部記憶媒体２８ａにデータを読み書きする記憶媒体読み書き部２８が接続される。
【００３９】
前記表示コントローラ２５ａは、フレームバッファ（ＦＢ）２５ｂを備え、このフレームバッファ（ＦＢ）２５ｂには、前記サーバ装置１０により生成転送され、その圧縮が解凍された例えばＶＧＡ（Video Graphics Array）サイズの描画データが記憶される。前記表示コントローラ２５ａは、前記フレームバッファ（ＦＢ）２５ｂに記憶された描画データを、ユーザ操作に応じた表示位置で且つ表示部２５の表示画面サイズに応じた領域で切り出し、当該表示部２５に表示させる。
【００４０】
この際、前記サーバ装置１０から前記描画データを表示部２５に表示するその表示位置および領域について通知されている場合には、当該表示位置および領域に応じた描画データを切り出して表示部２５に表示する。
【００４１】
ＣＰＵ２１は、メモリ２２に予め記憶されている、あるいは外部記憶媒体２８ａからメモリ２２に読み込まれた、あるいはネットワークＮ上のプログラムサーバからメモリ２２に読み込まれたシステムプログラム（クライアント制御プログラム）に従って記憶部２３を作業用メモリとし回路各部の動作を制御するもので、入力部２６からのキー入力信号や送受信制御部２４を介して受信されるサーバ装置１０からのアプリケーション応答信号，転送描画データ，表示位置・領域情報などに応じて前記クライアント制御プログラムが起動され実行される。
【００４２】
このサーバベース・コンピューティング・システムでは、クライアント装置２０からのキー入力などのイベントに応じてサーバ装置１０にて生成された描画データは、当該描画データが生成更新される毎にその描画更新後に画像変化のあった領域が差分抽出され、転送用描画データとしてクライアント装置２０へ転送される。そして、当該クライアント装置２０にて既にフレームバッファ（ＦＢ）２５ｂに記憶され表示されていた描画データに対しその画像変化の領域のみ順次書き替えられて表示更新されるものである。これにより、前記サーバ装置１０からクライアント装置２０へのデータ転送量を大幅に削減している。
【００４３】
次に、前記構成のサーバベース・コンピューティング・システムにおいて、クライアント装置２０の表示画面（２５）に表示された特定のオブジェクト領域（リストボックスＬＢやテスキストボックスＴＢ）を操作対象として選択指示した場合に、サーバ装置１０での制御に基づき当該特定のオブジェクト領域を前記表示画面（２５）に合わせて表示させるための選択オブジェクト対応表示機能について説明する。
【００４４】
図５は、前記サーバベース・コンピューティング・システムにおいて、クライアント装置２０の表示画面（２５）にてリストボックスＬＢを選択指示して開いた場合の表示制御動作（その１）を示す図である。
【００４５】
図６は、前記サーバベース・コンピューティング・システムにおいて、クライアント装置２０の表示画面（２５）にてリストボックスＬＢを選択指示して開いた場合の表示制御動作（その２）を示す図である。
【００４６】
図７は、前記サーバベース・コンピューティング・システムにおいて、クライアント装置２０の表示画面（２５）にてテキストボックスＴＢを選択指示した場合の表示制御動作を示す図である。
【００４７】
前記図５〜図７において、“Ｇ”はクライアント装置２０のフレームバッファ（ＦＢ）２５ｂに記憶された例えばＶＧＡサイズの描画データ、“Ｅ”は当該描画データＧの中で表示部２５に表示すべき表示画面領域、“ＬＢ”は描画データＧ上に存在展開されるリストボックス、“Ｍ”は当該リストボックスＬＢを選択指示する際にユーザによりタップ操作されるタップマーク、“ＴＢ”は描画データＧ上に存在するテキストボックス、“Ｆ”は当該テキストボックスＴＢを選択指示する際にユーザにより指定操作されるフォーカスマークである。
【００４８】
そして、前記描画データＧ（ＦＢ）に対する表示画面領域Ｅ（２５）は、当該表示画面領域Ｅの左上に対応する始点座標（ＤＸ，ＤＹ）、およびその始点座標（ＤＸ，ＤＹ）を基準とする縦の長さＤＨと横の長さＤＷにより管理される。
【００４９】
なお、描画データＧ上に存在する操作対象オブジェクト領域であるリストボックスＬＢやテキストボックスＴＢの領域サイズは、縦の長さＬＨと横の長さＬＷにより管理される。
【００５０】
すなわち、例えば図５（Ａ）に示すように、描画データＧ上に存在するリストボックスＬＢのタップマークＭがタップ操作された場合には、展開後のリストボックスＬＢが表示画面領域Ｅに収まるように、図５（Ｂ）に示すように当該表示画面領域Ｅの描画データに対する切り出し位置および領域を変更制御する。
【００５１】
また、例えば図６（Ａ）に示すように、描画データＧ上に存在するリストボックスＬＢのタップマークＭがタップ操作された場合に、その展開後のリストボックスＬＢの横の長さＬＷが前記表示画面領域Ｅの横の長さＤＷに収まらない場合には、当該表示画面領域Ｅを横長に回転させてそのリストボックスＬＢが収まるように、図６（Ｂ）に示すように当該表示画面領域Ｅの描画データに対する切り出し位置および領域を変更制御する。
【００５２】
同様に、例えば図７（Ａ）に示すように、描画データＧ上に存在するテキストボックスＴＢにフォーカスマークＦが指定操作された場合に、そのテキストボックスＴＢの横の長さＬＷが前記表示画面領域Ｅの横の長さＤＷに収まらない場合には、当該表示画面領域Ｅを横長に回転させてそのテキストボックスＴＢが収まるように、図７（Ｂ）に示すように当該表示画面領域Ｅの描画データに対する切り出し位置および領域を変更制御する。
【００５３】
図８は、前記サーバベース・コンピューティング・システムのサーバ装置１０によるサーバ制御処理を示すフローチャートである。
【００５４】
図９は、前記サーバ装置１０のサーバ制御処理に伴うオブジェクト選択処理を示すフローチャートである。
【００５５】
図１０は、前記サーバベース・コンピューティング・システムのクライアント装置２０によるクライアント制御処理を示すフローチャートである。
【００５６】
まず、クライアント装置２０において、入力部２６のユーザ操作によりサーバ装置１０への接続要求を指示すると、送受信制御部２４からサーバ装置１０に対して接続確立の処理要求が送信され（図１０のステップＢ１）、当該サーバ装置１０との間での認証処理などに基づいた接続確立処理が実行される（ステップＢ２）。
【００５７】
サーバ装置１０において、前記クライアント装置２０から送信された接続確立の処理要求が受信されると（図８のステップＳ１）、当該接続要求元のクライアント装置２０との間での認証処理などに基づいた接続確立処理が実行される（ステップＳ２）。
【００５８】
これにより、サーバ装置１０とクライアント装置２０との接続が確立した状態で、当該クライアント装置２０でのユーザ入力に応じて（図１０のステップＢ３（ＹＥＳ））、任意のＷｅｂページを開くなどの入力イベントが受け付けられると（ステップＢ４（ＹＥＳ））、当該入力イベントがサーバ装置１０へ送信される（ステップＢ５）。
【００５９】
サーバ装置１０において、前記クライアント装置２０から送信された例えばＷｅｂページを開く入力イベントが受信されると（図８のステップＳ３（ＹＥＳ））、これに対応したＷｅｂブラウザなどのアプリケーション・プログラムに対して前記入力イベントに応じた操作信号が送信され（ステップＳ４）、当該アプリケーション・プログラムによって前記入力イベントに応じた処理、この場合にはユーザ指定のＷｅｂページを開いて、その描画データをイベント入力元のクライアント装置２０に対応するメモリ１２内のフレームバッファ（ＦＢ）１２ａに書き込み、転送用描画データに変換して当該クライアント装置２０へ送信する処理が実行される（ステップＳ５（ＮＯ）→Ｓ６）。
【００６０】
クライアント装置２０において、前記サーバ装置１０から送信された例えばＷｅｂページの描画データが受信されると（図１０のステップＢ９（ＹＥＳ））、既にフレームバッファ（ＦＢ）２５ｂに記憶されている描画データＧとの差分画像として判断され（ステップＢ１２（ＹＥＳ））、この差分画像として判断された描画データが当該フレームバッファ（ＦＢ）２５ｂに書き込まれる（ステップＢ１５）。
【００６１】
例えば、Ｗｅｂページを開いた初期には、そのページ全体の描画データが差分画像として受信され、前記フレームバッファ（ＦＢ）２５ｂに書き込まれ、この後、当該Ｗｅｂページの描画内容が更新された場合には、当該描画更新された部分の差分画像だけがその位置情報と共に受信され、前記フレームバッファ（ＦＢ）２５ｂに記憶されている描画データＧが更新される（ステップＢ９（ＹＥＳ）→Ｂ１２（ＹＥＳ）→Ｂ１５）。
【００６２】
前記フレームバッファ（ＦＢ）２５ｂに記憶された描画データＧは、例えば図５（Ａ）に示すように、ユーザ操作に応じた表示の始点座標（ＤＸ，ＤＹ）と表示部２５の表示画面サイズに応じた縦横長さ（ＤＨ×ＤＷ）に対応した表示画面領域Ｅとして表示コントローラ２５ａにより切り出され（ステップＢ１６）、表示部２５に出力されて表示される（ステップＢ１７）。
【００６３】
これにより、クライアント装置２０におけるユーザ入力イベントに応じて、サーバ装置１０により生成されて転送された描画データＧがフレームバッファ（ＦＢ）２５ｂに逐次更新されながら記憶され、ユーザ操作に応じた表示画面領域Ｅとして表示部２５に表示される。
【００６４】
クライアント装置２０において、前記表示部２５に表示される描画データＧに存在する特定のオブジェクト領域（リストボックスＬＢやテキストボックスＴＢ）を操作対象として指示した際に、当該オブジェクト領域を表示画面領域Ｅの中央に位置させて表示させたい場合には、入力部２６のユーザ操作に応じて中央表示モードを設定する（ステップＢ３（ＹＥＳ））→Ｂ６）。
【００６５】
前記中央表示モードの設定入力が行われると（ステップＢ６（ＹＥＳ））、当該中央表示モードの設定データ“１”がサーバ装置１０へ送信され（ステップＢ７）、また、前記中央表示モードの設定解除の入力が行われると（ステップＢ６（ＮＯ））、当該中央表示モードの設定解除データ“０”がサーバ装置１０へ送信される（ステップＢ８）。
【００６６】
サーバ装置１０において、前記クライアント装置２０から送信された中央表示モードの設定データ“１”または設定解除データ“０”が受信されると、記憶部１３内の表示管理領域１３Ａ（図３参照）に記憶管理されている当該クライアント装置２０に対応するところの中央表示モードの管理データが、設定有りを示す“１”または設定無しを示す“０”にセットされる（図８のステップＳ３（ＹＥＳ）→Ｓ４，Ｓ５（ＮＯ）→Ｓ６）。
【００６７】
（オブジェクト選択に伴う表示画面領域Ｅの変更処理）
前記サーバ装置１０とクライアント装置２０との制御処理に従い、当該クライアント装置２０において、例えば図５（Ａ）に示すようにリストボックスＬＢのタップマークＭを含む描画データＧの表示画面領域Ｅが切り出されて表示部２５に表示された状態で（図１０のステップＢ９（ＹＥＳ）→Ｂ１２（ＹＥＳ）→Ｂ１５〜Ｂ１７）、当該リストボックスＬＢを開くべくユーザ操作によりタップマークＭが指定入力されると、当該リストボックスＬＢの選択を示す入力イベント信号がサーバ装置１０へ送信される（ステップＢ３（ＹＥＳ）→Ｂ４（ＹＥＳ）→Ｂ５）。
【００６８】
サーバ装置１０において、前記クライアント装置２０から送信されたリストボックスＬＢの選択を示す入力イベント信号が受信されると（図８のステップＳ３（ＹＥＳ））、当該リストボックスＬＢ（オブジェクト）の選択ありと判断され（ステップＳ４，Ｓ５（ＹＥＳ））、図９におけるオブジェクト選択処理へ移行される（ステップＳＡ）。
【００６９】
このオブジェクト選択処理が起動されると、当該オブジェクト選択のイベント入力が行われたクライアント装置２０に対して、現在の表示画面領域Ｅに対応する表示領域情報（ＤＸ，ＤＹ，ＤＷ，ＤＨ）の送信を要求する信号が送信される（ステップＡ１）。
【００７０】
クライアント装置２０において、前記サーバ装置１０から送信された現在の表示領域情報（ＤＸ，ＤＹ，ＤＷ，ＤＨ）の送信要求が受信されると（図１０のステップＢ９（ＹＥＳ）→Ｂ１０（ＹＥＳ））、図５（Ａ）に示すように、現在の表示部２５に表示された描画データＧの表示画面領域Ｅを設定している表示領域情報（ＤＸ，ＤＹ，ＤＷ，ＤＨ）がサーバ装置１０へ送信される（ステップＢ１３）。
【００７１】
サーバ装置１０において、前記クライアント装置２０から送信された表示領域情報（ＤＸ，ＤＹ，ＤＷ，ＤＨ）が受信されると（図９のステップＡ２（ＹＥＳ））、当該表示領域情報（ＤＸ，ＤＹ，ＤＷ，ＤＨ）により設定された表示画面領域Ｅ内に、今回ユーザ選択されたオブジェクト領域（この場合は、リストボックスＬＢ（ＬＸ，ＬＹ，ＬＷ，ＬＨ））が収まるか否か判断される（ステップＡ３）。
【００７２】
ここで、前記クライアント装置２０の表示領域情報（ＤＸ，ＤＹ，ＤＷ，ＤＨ）により設定された表示画面領域Ｅ内に、今回ユーザ選択されたオブジェクト領域（ＬＸ，ＬＹ，ＬＷ，ＬＨ）が収まると判断された場合には（ステップＡ３（ＹＥＳ））、現在フレームバッファ（ＦＢ）１２ａに記憶されている描画データＧに対して前記選択されたオブジェクトが展開描画され（図８のステップＳ８）、その差分画像データからなる転送用描画データがクライアント装置２０へ送信される（ステップＳ９）。
【００７３】
これにより、クライアント装置２０では、前記選択されたオブジェクトの差分画像データが受信されてフレームバッファ（ＦＢ）２５ｂに記憶されている描画データＧが更新され（図１０のステップＢ９（ＹＥＳ）→Ｂ１２（ＹＥＳ）→Ｂ１５）、当該描画データＧが、その選択されたオブジェクト領域が表示画面領域Ｅに収まる状態で切り出され、表示部２５に表示される（ステップＢ１６，Ｂ１７）。
【００７４】
一方、前記サーバ装置１０のオブジェクト選択処理におけるステップＡ３において、前記図５（Ａ）で示したように、前記クライアント装置２０の表示領域情報（ＤＸ，ＤＹ，ＤＷ，ＤＨ）により設定された表示画面領域Ｅ内に、今回ユーザ選択されたリストボックスＬＢの領域（ＬＸ，ＬＹ，ＬＷ，ＬＨ）が収まらないと判断された場合には（図９のステップＡ３（ＮＯ））、前記表示領域情報の横幅ＤＷよりもリストボックスＬＢの横幅ＬＷが大きいか否かにより、当該リストボックスＬＢのＸ方向の補正が必要であるか否か判断される（ステップＡ４）。
【００７５】
ここで、前記図５（Ａ）で示したように、リストボックスＬＢの横幅ＬＷが表示領域情報の横幅ＤＷより小さいことで、当該リストボックスＬＢのＸ方向の補正は必要ないと判断されると（ステップＡ４（ＮＯ））、変更後の表示領域を設定する縦横幅がそのまま変化なく（ＤＨ→ＤＨ′）（ＤＷ→ＤＷ′）として管理される（ステップＡ６）。
【００７６】
すると続いて、表示領域情報の縦幅ＤＨ′よりもリストボックスＬＢの縦幅ＬＨが大きいか否かにより、当該リストボックスＬＢのＹ方向の補正が必要であるか否か判断される（ステップＡ１２）。
【００７７】
ここで、前記図５（Ａ）で示したように、リストボックスＬＢの縦幅ＬＨが表示領域情報の縦幅ＤＨ′より小さいことで、当該リストボックスＬＢのＹ方向の補正は必要ないと判断されると（ステップＡ１２（ＮＯ））、記憶部１３の表示管理領域１３Ａに記憶されている管理データに基づき前記クライアント装置２０が中央表示モード“１”に設定されているか否か判断される（ステップＡ１４）。
【００７８】
そして、中央表示モード“１”に設定されていると判断された場合には（ステップＡ１４（ＹＥＳ））、次式（１）に従って、表示領域の横幅ＤＷからリストボックスＬＢの横幅ＬＷを引いた余りの半分を、当該リストボックスＬＢのＸ方向の始点座標ＬＸから引いて表示画面領域ＥのＸ方向始点座標（ＤＸ′）が設定される。また次式（２）に従って、表示領域の縦幅ＤＨからリストボックスＬＢの縦幅ＬＨを引いた余りの半分を、当該リストボックスＬＢのＹ方向の始点座標ＬＹから引いて表示画面領域ＥのＹ方向始点座標（ＤＹ′）が設定される（ステップＡ１５）。
【００７９】
ＤＸ′←ＬＸ−（ＤＷ−ＬＷ）／２  …式（１）
ＤＹ′←ＬＹ−（ＤＨ−ＬＨ）／２  …式（２）
するとこの場合、前記ステップＡ６およびＡ１５において設定された変更後の表示領域情報（ＤＸ′，ＤＹ′，ＤＷ′，ＤＨ′）がクライアント装置２０へ送信される（ステップＡ１７）。
【００８０】
そして、現在フレームバッファ（ＦＢ）１２ａに記憶されている描画データＧに対して前記選択されたリストボックスＬＢが展開描画され（図８のステップＳ８）、その差分画像データからなる転送用描画データがクライアント装置２０へ送信される（ステップＳ９）。
【００８１】
これにより、クライアント装置２０では、前記サーバ装置１０から受信された表示領域情報（ＤＸ′，ＤＹ′，ＤＷ′，ＤＨ′）に応じて描画データＧに対する表示画面領域Ｅが変更される（図１０のステップＢ９（ＹＥＳ）→Ｂ１１（ＹＥＳ）→Ｂ１４）。そして、前記サーバ装置１０から送信されたリストボックスＬＢの差分画像データが受信され、フレームバッファ（ＦＢ）２５ｂに記憶されている描画データＧが更新され（ステップＢ９（ＹＥＳ）→Ｂ１２（ＹＥＳ）→Ｂ１５）、当該描画データＧが前記変更された表示画面領域Ｅ（ＤＸ′，ＤＹ′，ＤＷ′，ＤＨ′）に従い切り出され、図５（Ｂ）に示すように、リストボックスＬＢを当該表示画面領域Ｅの中央に位置させて表示部２５に表示される（ステップＢ１６，Ｂ１７）。
【００８２】
一方、前記ステップＡ４において、例えば図６（Ａ）（あるいは図７（Ａ））に示すように、リストボックスＬＢ（テキストボックスＴＢ）の横幅ＬＷが表示領域情報の横幅ＤＷより大きいことで、当該リストボックスＬＢ（テキストボックスＴＢ）のＸ方向の補正が必要であると判断された場合には（図９のステップＡ４（ＹＥＳ））、そのリストボックスＬＢ（テキストボックスＴＢ）の横幅ＬＷは表示領域情報の横幅ＤＷの３分４倍よりもさらに大きいか否か判断される（ステップＡ５）。
【００８３】
ここで、前記リストボックスＬＢ（テキストボックスＴＢ）の横幅ＬＷは、表示領域情報の横幅ＤＷよりも大きいものの、その３分４倍を超えてはいないと判断された場合には（ステップＡ５（ＮＯ））、変更後の表示領域を設定する縦横幅はそのまま変化なく（ＤＨ→ＤＨ′）（ＤＷ→ＤＷ′）として管理され（ステップＡ７）、前記リストボックスＬＢ（テキストボックスＴＢ）の横幅ＬＷが表示領域の横幅ＤＷ′に合わせて縮小補正される（ステップＡ９）。
【００８４】
一方、前記ステップＡ５において、例えば図６（Ａ）（あるいは図７（Ａ））で示したように、リストボックスＬＢ（テキストボックスＴＢ）の横幅ＬＷが、表示領域の横幅ＤＷの３分４倍よりもさらに大きいと判断された場合には（ステップＡ５（ＹＥＳ））、図６（Ｂ）（図７（Ｂ））に示すように、現在の表示領域の横幅ＤＷを変更後の表示領域の縦幅ＤＨ′として設定すると共に、現在の表示領域の縦幅ＤＨを変更後の表示領域の横幅ＤＷ′として設定することで、描画データＧに対する表示画面領域Ｅの縦横方向を回転させる（ステップＡ８）。そして、前記リストボックスＬＢ（テキストボックスＴＢ）の横幅ＬＷが前記回転された表示領域の横幅ＤＷ′に合わせて縮小補正される（ステップＡ９）。
【００８５】
すると、当該オブジェクト選択処理は、前記リストボックスＬＢを操作対象とするためのタップマークＭの指定操作に応じた入力イベントにより実行されているのか否か、つまり当該リストボックスＬＢの選択処理であるのか前記テキストボックスＴＢの選択処理であるのかが判断される（ステップＡ１０）。
【００８６】
ここで、前記タップマークＭの指定操作に応じたリストボックスＬＢの選択処理であると判断された場合には（ステップＡ１０（ＹＥＳ））、当該リストボックスＬＢ内に記述されている各テキストデータのフォントサイズが、当該リストボックスＬＢの横幅ＤＷ′をそのリスト中の各項目のうちの最大文字数で割ったフォントサイズに変更される（ステップＡ１１）。これにより、前記ステップＡ９において縮小補正されたリストボックスＬＢの横幅ＬＷに合わせて、各リスト内のテキストデータが適切に収まるように調整される。
【００８７】
この後、ステップＡ１２において、前記リストボックスＬＢ（あるいはテキストボックスＴＢ）の縦幅ＬＨが表示領域情報の縦幅ＤＨ′より大きいことで、当該リストボックスＬＢ（テキストボックスＴＢ）はＹ方向の補正も必要であると判断された場合には（ステップＡ１２（ＹＥＳ））、そのリストボックスＬＢ（テキストボックスＴＢ）の縦幅ＬＨが前記表示領域の縦幅ＤＨ′に合わせて縮小補正される（ステップＡ１３）。
【００８８】
そして、中央表示モード“１”に設定されていないと判断された場合には（ステップＡ１４（ＮＯ））、例えば図６（Ｂ）に示すように、前記リストボックスＬＢ（テキストボックスＴＢ）の描画始点座標（ＬＸ，ＬＹ）が、そのまま変更後の表示画面領域Ｅの表示始点座標（ＤＸ′，ＤＹ′）として設定される（ステップＡ１６）。
【００８９】
すると、前記図６で示したリストボックスＬＢ、あるいは前記図７で示したテキストボックスＴＢの場合には、前記ステップＡ８〜Ａ１４→Ａ１６において設定された変更後の表示領域情報（ＤＸ′，ＤＹ′，ＤＷ′，ＤＨ′）がクライアント装置２０へ送信される（ステップＡ１７）。
【００９０】
そして、現在フレームバッファ（ＦＢ）１２ａに記憶されている描画データＧに対して前記選択されたリストボックスＬＢ（テキストボックスＴＢ）が展開描画され（図８のステップＳ８）、その差分画像データからなる転送用描画データがクライアント装置２０へ送信される（ステップＳ９）。
【００９１】
これにより、クライアント装置２０では、前記サーバ装置１０から受信された表示領域情報（ＤＸ′，ＤＹ′，ＤＷ′，ＤＨ′）に応じて描画データＧに対する表示画面領域Ｅが変更される（図１０のステップＢ９（ＹＥＳ）→Ｂ１１（ＹＥＳ）→Ｂ１４）。そして、前記サーバ装置１０から送信されたリストボックスＬＢ（テキストボックスＴＢ）の差分画像データが受信され、フレームバッファ（ＦＢ）２５ｂに記憶されている描画データＧが更新される（ステップＢ９（ＹＥＳ）→Ｂ１２（ＹＥＳ）→Ｂ１５）。そして、当該描画データＧが前記回転・変更された表示画面領域Ｅ（ＤＸ′，ＤＹ′，ＤＷ′，ＤＨ′）に従い切り出され、図６（Ｂ）（あるいは図７（Ｂ））に示すように、リストボックスＬＢ（テキストボックスＴＢ）を当該回転された表示画面領域Ｅの始点位置を合わせて（ＤＸ′，ＤＹ′＝ＬＸ，ＬＹ）表示部２５に表示される（ステップＢ１６，Ｂ１７）。
【００９２】
この後、クライアント装置２０において、前記サーバ装置１０との接続を終了する操作が行われると（ステップＢ１８（ＹＥＳ））、当該サーバ装置１０に対して接続終了処理信号が送信される（ステップＢ１９）。そして、サーバ装置１０において、前記クライアント装置２０から送信された接続終了処理信号が受信されると（図８のステップＳ７（ＹＥＳ））、当該クライアント装置２０との接続が終了される（ステップＳ１０）。
【００９３】
したがって、前記構成のサーバベース・コンピューティング・システムにおける選択オブジェクト対応表示機能によれば、クライアント装置２０に表示されている描画データ上で特定のオブジェクト（リストボックスＬＢやテキストボックスＴＢ）が操作対象として選択されると、サーバ装置１０において描画更新されるオブジェクトが前記クライアント装置２０における現在の表示画面領域Ｅに収まるか否か判断される。そして前記描画更新されるオブジェクトが前記クライアント装置２０における現在の表示画面領域Ｅに収まらないと判断された場合には、前記描画データ上に描画更新されるオブジェクトが前記クライアント装置２０の表示画面領域Ｅに収まるように、その描画データに対する表示画面領域Ｅの始点座標（ＤＸ′，ＤＹ′）と縦横幅（ＤＨ′×ＤＷ′）の変更情報が生成されて前記クライアント装置２０へ送信（通知）される。
【００９４】
これにより、クライアント装置２０では、サーバ装置１０により描画更新されて転送された描画データ上のオブジェクトに合わせて表示画面領域Ｅが変更され表示部２５に表示されるので、当該クライアント装置２０が携帯端末（２０Ｍ，２０Ｐ）などであってその表示画面が小さい場合でも、表示画面領域Ｅの変更操作を行う必要なく、ユーザが操作対象としたオブジェクトの領域を容易に表示させることができる。
【００９５】
また、前記構成のサーバベース・コンピューティング・システムにおける選択オブジェクト対応表示機能によれば、サーバ装置１０において描画更新されるオブジェクトの横幅ＬＷがクライアント装置２０の表示画面領域Ｅの横幅ＤＷよりも大きい場合には、当該オブジェクトの横幅ＬＷが表示画面領域Ｅの横幅ＤＷに合わせて縮小補正され、さらに、同オブジェクトの縦幅ＬＨがクライアント装置２０の表示画面領域Ｅの縦幅ＤＨよりも大きい場合には、当該オブジェクトの縦幅ＬＨが表示画面領域Ｅの縦幅ＤＨに合わせて縮小補正される。
【００９６】
また、前記構成のサーバベース・コンピューティング・システムにおける選択オブジェクト対応表示機能によれば、縦長の表示画面領域Ｅを有するクライアント装置２０であって、サーバ装置１０において描画更新されるオブジェクトの横幅ＬＷが前記クライアント装置２０の表示画面領域Ｅの横幅ＤＷよりも大きい場合には、描画データに対する表示画面領域Ｅを９０度回転させた始点座標（ＤＸ′，ＤＹ′）と縦横幅（ＤＨ′×ＤＷ′）の変更情報が生成されて前記クライアント装置２０へ送信（通知）される。
【００９７】
これにより、クライアント装置２０が携帯端末（２０Ｍ，２０Ｐ）などであってその表示画面が小さい場合でも、表示画面領域Ｅの変更操作を行う必要なく、ユーザが操作対象としたオブジェクトの領域を当該表示画面領域Ｅ内に確実に収めて表示させることができる。
【００９８】
さらに、前記構成のサーバベース・コンピューティング・システムにおける選択オブジェクト対応表示機能によれば、前記サーバ装置１０において描画更新されるオブジェクトがリストボックスＬＢであって、当該リストボックスＬＢの横幅ＬＷが表示画面領域Ｅの横幅ＤＷに合わせて縮小補正された場合には、当該縮小補正されたリストボックスＬＢの横幅ＬＷ（＝ＤＷ）に合わせて該リスト中に記述された文字データのフォントサイズが変更されるので、ユーザが操作対象としたリストボックスＬＢを当該表示画面領域Ｅ内に確実に収めて表示させることができる。
【００９９】
（他の実施形態）
前記実施形態のサーバベース・コンピューティング・システムでは、クライアント装置２０からの入力イベントに応じてサーバ装置１０により生成した描画データＧを、当該サーバ装置１０からイベント入力元のクライアント装置２０へ転送し、該クライアント装置２０において、その表示部２５に対応した表示画面領域Ｅに切り出して表示する構成となっている。このため、前記サーバ装置１０は、前記クライアント装置２０に表示されている描画データ上で特定のオブジェクトが操作対象として選択された場合（ステップＳ５（ＹＥＳ））、当該サーバ装置１０において描画更新されるオブジェクトが前記クライアント装置２０における表示画面領域Ｅに収まるように、その描画データに対する表示画面領域Ｅの始点座標（ＤＸ′，ＤＹ′）と縦横幅（ＤＨ′×ＤＷ′）の変更情報を生成して前記クライアント装置２０へ送信（通知）した（ステップＳＡ）。
【０１００】
これに対し、他の実施形態のサーバベース・コンピューティング・システムとして、クライアント装置２０は、その入力イベントのサーバ装置１０への送信毎に、当該サーバ装置１０により生成される描画データＧ上での現在の表示画面領域Ｅの位置およびサイズの情報（ＤＸ，ＤＹ，ＤＷ，ＤＨ）を送信し、前記サーバ装置１０は、前記入力イベントに応じて生成した描画データＧから前記現在の表示画面領域Ｅの位置およびサイズの情報（ＤＸ，ＤＹ，ＤＷ，ＤＨ）に対応した部分の描画データを切り出し、前記イベント入力元のクライアント装置２０へ転送してその表示部２５に表示させるものがある。
【０１０１】
なお、クライアント装置２０で表示される表示画面領域Ｅの位置およびサイズの情報は、その初期情報を予めサーバ装置１０に記憶しておき、サーバ装置１０は、前記クライアント装置２０から送信された入力イベントを受信する毎に前記初期情報に基づき該クライアント装置２０の表示画面領域Ｅの位置およびサイズの情報（ＤＸ，ＤＹ，ＤＷ，ＤＨ）を算出してもよい。
【０１０２】
このような他の実施形態のサーバベース・コンピューティング・システムにおいて、クライアント装置２０により描画データ上の特定のオブジェクトが操作対象として選択された場合、サーバ装置１０は、当該サーバ装置１０により描画更新される前記特定のオブジェクトが前記クライアント装置２０の表示画面領域Ｅに収まるように、その描画データに対する表示画面領域Ｅの始点座標（ＤＸ′，ＤＹ′）と縦横幅（ＤＨ′×ＤＷ′）の変更情報を生成し（図９のステップＡ２〜Ａ１６）、この変更後の表示画面領域Ｅに対応する部分の描画データを切り出して前記クライアント装置２０へ転送する構成にする。これにより、この他の実施形態のサーバベース・コンピューティング・システムにあっても、前記実施形態と同様に、クライアント装置２０が携帯端末（２０Ｍ，２０Ｐ）などであってその表示画面が小さい場合でも、表示画面領域Ｅの変更操作を行う必要なく、ユーザが操作対象としたオブジェクトの領域を容易に表示させることができる。
【０１０３】
なお、前記各実施形態において記載したサーバベース・コンピューティング・システムによる各処理の手法、すなわち、図８のフローチャートに示すサーバ装置１０の制御処理、図９のフローチャートに示す前記サーバ装置１０の制御処理に伴うオブジェクト選択処理、図１０のフローチャートに示すクライアント装置２０の制御処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１８ａ，２８ａに格納して配布することができる。そして、サーバ装置１０やクライアント装置２０のコンピュータ（ＣＰＵ１１，２１）は、この外部記録媒体１８ａ，２８ａに記憶されたプログラムを記憶装置（メモリ１２，２２や記憶部１３，２３）に読み込み、この読み込んだプログラムによって動作が制御されることにより、前記各実施形態において説明した選択オブジェクト対応表示機能を実現し、前述した手法による同様の処理を実行することができる。
【０１０４】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記のプログラムデータを取り込んで記憶装置（メモリ１２，２２や記憶部１３，２３）に記憶させ、前述した選択オブジェクト対応表示機能を実現することもできる。
【０１０５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１０６】
１０  …サーバ装置
２０  …クライアント装置（携帯端末）
１１，２１…ＣＰＵ
１２，２２…メモリ
１２ａ，１２ｂ，…仮想フレームバッファ（ＦＢ）
１３，２３…記憶部
１３Ａ…表示管理領域
１４，２４…送受信制御部
１５，２５…表示部
２５ａ…表示コントローラ
２５ｂ…フレームバッファ（ＦＢ）
１６，２６…入力部
１７，２７…バス
１８，２８…記憶媒体読み書き部
１８ａ，２８ａ…外部記憶媒体
Ｎ  …ネットワーク
ＡＰ  …アクセスポイント
Ｇ  …描画データ
Ｅ  …表示画面領域
ＬＢ  …リストボックス
Ｍ  …タップマーク
ＴＢ  …テキストボックス
Ｆ  …フォーカスマーク
【図１】
0005482710.tif 000002
【図２】
0005482710.tif 000003
【図３】
0005482710.tif 000004
【図４】
0005482710.tif 000005
【図５】
0005482710.tif 000006
【図６】
0005482710.tif 000007
【図７】
0005482710.tif 000008
【図８】
0005482710.tif 000009
【図９】
0005482710.tif 000010
【図１０】
0005482710.tif 000011